(57)【要約】      （修正有）【課題】デジタルサイネージの広告の効果を高める。【解決手段】広告制御装置２は、デジタルサイネージから所定範囲内に存在する複数のユーザのそれぞれを識別するためのユーザＩＤを取得する識別情報取得部２３１と、ユーザＩＤと、ユーザの属性を示す属性情報とを関連付けて記憶する属性情報ＤＢ２２１を参照して、識別情報取得部２３１が取得した複数のユーザＩＤのそれぞれに関連付けられた属性情報のうち、関連付けられているユーザＩＤが相対的に多い属性情報を取得する属性情報取得部２３２と、属性情報と広告種別とを関連付けて記憶する広告種別ＤＢ２２２を参照して、属性情報取得部２３２が取得した属性情報に関連付けられた広告種別を決定する広告種別決定部２３３と、広告種別決定部２３３が決定した広告種別に対応する広告コンテンツをデジタルサイネージに出力させる出力制御部２３４と、を備える。【選択図】図３
2020024611.tif 000002
【特許請求の範囲】
【請求項１】
所定期間内においてデジタルサイネージから所定範囲内に存在する複数のユーザのそれぞれを識別するためのユーザ識別情報を取得する識別情報取得部と、
ユーザ識別情報と、当該ユーザ識別情報で識別されるユーザの属性を示す属性情報とを関連付けて記憶する属性情報データベースを参照して、前記識別情報取得部が取得した複数のユーザ識別情報のそれぞれに関連付けられた前記属性情報のうち、関連付けられているユーザ識別情報が相対的に多い属性情報を取得する属性情報取得部と、
属性情報と広告種別とを関連付けて記憶する広告種別データベースを参照して、前記属性情報取得部が取得した属性情報に関連付けられた広告種別を決定する広告種別決定部と、
前記広告種別決定部が決定した前記広告種別に対応する広告コンテンツを前記デジタルサイネージに出力させる出力制御部と、
を備える広告制御装置。
【請求項２】
前記属性情報取得部は、前記識別情報取得部が取得した複数のユーザ識別情報のそれぞれに関連付けられた前記属性情報のうち、関連付けられているユーザ識別情報が相対的に多い属性情報を複数取得する、
請求項１に記載の広告制御装置。
【請求項３】
前記出力制御部は、前記属性情報取得部が取得した複数の属性情報のうち、当該属性情報に関連付けられているユーザ識別情報の数に基づいて、当該属性情報に対応する広告コンテンツの前記デジタルサイネージへの表示時間を変化させる、
請求項２に記載の広告制御装置。
【請求項４】
前記出力制御部は、前記属性情報取得部が取得した複数の属性情報のうち、当該属性情報に関連付けられているユーザ識別情報の数に基づいて、当該属性情報に対応する広告コンテンツの前記デジタルサイネージへの表示回数を変化させる、
請求項２又は３に記載の広告制御装置。
【請求項５】
前記属性情報取得部は、前記識別情報取得部が取得した複数のユーザ識別情報のそれぞれに関連付けられた前記属性情報のうち、関連付けられているユーザ識別情報が所定数以下の属性情報を取得しないように制御する、
請求項１から４のいずれか１項に記載の広告制御装置。
【請求項６】
前記属性情報取得部は、前記識別情報取得部が取得したユーザ識別情報の数が第２閾値以上の場合には、関連付けられているユーザ識別情報の数が所定数以下の属性情報であっても取得する、
請求項５に記載の広告制御装置。
【請求項７】
前記出力制御部は、前記属性情報取得部が前記属性情報を取得できなかった場合には、予め定められている広告コンテンツを出力させる、
請求項１から６のいずれか１項に記載の広告制御装置。
【請求項８】
前記属性情報取得部は、所定数のユーザを個別に識別できない前記属性情報を記憶する属性情報データベースを参照して、前記属性情報を取得する、
請求項１から７のいずれか１項に記載の広告制御装置。
【請求項９】
前記属性情報取得部は、所定の条件に基づいて重み付けがされた前記属性情報を記憶する属性情報データベースを参照し、相対的に重みが大きい前記属性情報を取得する、
請求項１から８のいずれか１項に記載の広告制御装置。
【請求項１０】
前記属性情報取得部は、関連付けられているユーザの前記広告コンテンツの閲覧回数に基づいて重み付けがされた前記属性情報を記憶する属性情報データベースを参照し、相対的に重みが大きい前記属性情報を取得する、
請求項９に記載の広告制御装置。
【請求項１１】
前記属性情報取得部は、関連する前記広告コンテンツの広告料に基づいて重み付けがされた前記属性情報を記憶する属性情報データベースを参照し、相対的に重みが大きい前記属性情報を取得する、
請求項９又は１０に記載の広告制御装置。
【請求項１２】
コンピュータが実行する、
所定期間内においてデジタルサイネージから所定範囲内に存在する複数のユーザのそれぞれを識別するためのユーザ識別情報を取得するステップと、
ユーザ識別情報と、当該ユーザ識別情報で識別されるユーザの属性を示す属性情報とを関連付けて記憶する属性情報データベースを参照して、取得された複数のユーザ識別情報のそれぞれに関連付けられた前記属性情報のうち、関連付けられているユーザ識別情報が相対的に多い属性情報を取得するステップと、
属性情報と広告種別とを関連付けて記憶する広告種別データベースを参照して、取得された属性情報に関連付けられた広告種別を決定するステップと、
決定された前記広告種別に対応する広告コンテンツを前記デジタルサイネージに出力させるステップと、
を備える広告制御方法。
【発明の詳細な説明】
【技術分野】
【０００１】
本発明は、広告制御装置及び広告制御方法に関する。
【背景技術】
【０００２】
従来、デジタルサイネージの近くの端末から、当該端末のユーザの嗜好を示す情報を受信することにより嗜好を特定し、当該嗜好に対応する広告コンテンツを表示するデジタルサイネージが知られている（例えば、特許文献１を参照）。
【先行技術文献】
【特許文献】
【０００３】
【特許文献１】特開２０１７−１６７６８６号公報
【発明の概要】
【発明が解決しようとする課題】
【０００４】
デジタルサイネージには、端末のユーザの嗜好に対応する広告コンテンツが表示されるため、当該ユーザに対して効果的である。しかしながら、デジタルサイネージの近くに多くの端末が存在する場合に１人のユーザに対応する広告が表示されると、広告の効果が限定的となってしまう。
【０００５】
そこで、本発明はこれらの点に鑑みてなされたものであり、デジタルサイネージの広告の効果を高めることができる広告制御装置及び広告制御方法を提供することを目的とする。
【課題を解決するための手段】
【０００６】
本発明の第１の態様に係る広告制御装置は、所定期間内においてデジタルサイネージから所定範囲内に存在する複数のユーザのそれぞれを識別するためのユーザ識別情報を取得する識別情報取得部と、ユーザ識別情報と、当該ユーザ識別情報で識別されるユーザの属性を示す属性情報とを関連付けて記憶する属性情報データベースを参照して、前記識別情報取得部が取得した複数のユーザ識別情報のそれぞれに関連付けられた前記属性情報のうち、関連付けられているユーザ識別情報が相対的に多い属性情報を取得する属性情報取得部と、属性情報と広告種別とを関連付けて記憶する広告種別データベースを参照して、前記属性情報取得部が取得した属性情報に関連付けられた広告種別を決定する広告種別決定部と、前記広告種別決定部が決定した前記広告種別に対応する広告コンテンツを前記デジタルサイネージに出力させる出力制御部と、を備える。
【０００７】
前記属性情報取得部は、前記識別情報取得部が取得した複数のユーザ識別情報のそれぞれに関連付けられた前記属性情報のうち、関連付けられているユーザ識別情報が相対的に多い属性情報を複数取得してもよい。
【０００８】
前記出力制御部は、前記属性情報取得部が取得した複数の属性情報のうち、当該属性情報に関連付けられているユーザ識別情報の数に基づいて、当該属性情報に対応する広告コンテンツの前記デジタルサイネージへの表示時間を変化させてもよい。
【０００９】
前記出力制御部は、前記属性情報取得部が取得した複数の属性情報のうち、当該属性情報に関連付けられているユーザ識別情報の数に基づいて、当該属性情報に対応する広告コンテンツの前記デジタルサイネージへの表示回数を変化させてもよい。
【００１０】
前記属性情報取得部は、前記識別情報取得部が取得した複数のユーザ識別情報のそれぞれに関連付けられた前記属性情報のうち、関連付けられているユーザ識別情報が所定数以下の属性情報を取得しないように制御してもよい。
【００１１】
前記属性情報取得部は、前記識別情報取得部が取得したユーザ識別情報の数が第２閾値以上の場合には、関連付けられているユーザ識別情報の数が所定数以下の属性情報であっても取得してもよい。
【００１２】
前記出力制御部は、前記属性情報取得部が前記属性情報を取得できなかった場合には、予め定められている広告コンテンツを出力させてもよい。
前記属性情報取得部は、所定数のユーザを個別に識別できない前記属性情報を記憶する属性情報データベースを参照して、前記属性情報を取得してもよい。
前記属性情報取得部は、所定の条件に基づいて重み付けがされた前記属性情報を記憶する属性情報データベースを参照し、相対的に重みが大きい前記属性情報を取得してもよい。
【００１３】
前記属性情報取得部は、関連付けられているユーザの前記広告コンテンツの閲覧回数に基づいて重み付けがされた前記属性情報を記憶する属性情報データベースを参照し、相対的に重みが大きい前記属性情報を取得してもよい。
【００１４】
前記属性情報取得部は、関連する前記広告コンテンツの広告料に基づいて重み付けがされた前記属性情報を記憶する属性情報データベースを参照し、相対的に重みが大きい前記属性情報を取得してもよい。
【００１５】
本発明の第２の態様に係る広告制御方法は、コンピュータが実行する、所定期間内においてデジタルサイネージから所定範囲内に存在する複数のユーザのそれぞれを識別するためのユーザ識別情報を取得するステップと、ユーザ識別情報と、当該ユーザ識別情報で識別されるユーザの属性を示す属性情報とを関連付けて記憶する属性情報データベースを参照して、取得された複数のユーザ識別情報のそれぞれに関連付けられた前記属性情報のうち、関連付けられているユーザ識別情報が相対的に多い属性情報を取得するステップと、属性情報と広告種別とを関連付けて記憶する広告種別データベースを参照して、取得された属性情報に関連付けられた広告種別を決定するステップと、決定された前記広告種別に対応する広告コンテンツを前記デジタルサイネージに出力させるステップと、を備える。
【発明の効果】
【００１６】
本発明によれば、デジタルサイネージの広告の効果を高めることができるという効果を奏する。
【図面の簡単な説明】
【００１７】
【図１】本実施形態に係る広告制御システムの概要を示す図である。
【図２】本実施形態に係るデジタルサイネージの構成を示す図である。
【図３】本実施形態に係る広告制御装置の構成を示す図である。
【図４】属性情報ＤＢに記憶されている情報の一例を示す図である。
【図５】広告種別ＤＢに記憶されている情報の一例を示す図である。
【図６】属性情報ＤＢに格納されている属性情報に、重み値が関連付けられている例を示す図である。
【図７】本実施形態に係る広告制御装置における処理の流れを示すフローチャートである。
【発明を実施するための形態】
【００１８】
［広告制御システムＳの概要］
図１は、本実施形態に係る広告制御システムＳの概要を示す図である。広告制御システムＳは、デジタルサイネージ１と、広告制御装置２と、複数のユーザＵのそれぞれが所持する端末３とを備え、デジタルサイネージ１に広告コンテンツを表示させるシステムである。
【００１９】
デジタルサイネージ１は、例えば、駅の通路や公共の施設内に設置されており、広告制御装置２の制御に従って広告コンテンツを表示する。デジタルサイネージ１は、広告制御装置２及び端末３と通信可能である。広告制御装置２は、デジタルサイネージ１と通信可能であり、デジタルサイネージ１から所定範囲内に存在するユーザに対応する広告コンテンツをデジタルサイネージ１に出力させるコンピュータである。
【００２０】
本実施形態において、広告制御装置２は、所定期間内においてデジタルサイネージ１から所定範囲内に存在する一以上のユーザのそれぞれを識別するためのユーザ識別情報としてのユーザＩＤを取得する（図１の（１））。
【００２１】
広告制御装置２は、ユーザＩＤと、ユーザの属性を示す属性情報とを関連付けて記憶する属性情報データベース（以下、属性情報ＤＢという。）２２１を参照し、取得した一以上のユーザＩＤのそれぞれに関連付けられた属性情報のうち、関連付けられているユーザＩＤが相対的に多い属性情報を取得する（図１の（２））。
【００２２】
広告制御装置２は、属性情報と、広告の種別を示す広告種別とを関連付けて記憶する広告種別データベース（以下、広告種別ＤＢという。）２２２を参照し、取得した属性情報に関連付けられた広告種別を決定する（図１の（３））。広告制御装置２は、決定した広告種別に対応する広告コンテンツをデジタルサイネージ１に出力させる出力制御を行う（図１の（４））。
【００２３】
このようにすることで、広告制御装置２は、デジタルサイネージ１から所定範囲内に存在する一以上のユーザのうち、相対的に多くのユーザが興味を示す可能性が高い広告コンテンツをデジタルサイネージ１に表示させることができる。したがって、広告制御装置２は、デジタルサイネージ１の広告の効果を高めることができる。
【００２４】
［デジタルサイネージ１の構成］
続いて、デジタルサイネージ１の構成を説明する。図２は、本実施形態に係るデジタルサイネージ１の構成を示す図である。図２に示すように、デジタルサイネージ１は、通信部１１と、近距離無線通信部１２と、表示部１３と、記憶部１４と、制御部１５とを備える。
【００２５】
通信部１１は、広告制御装置２と情報を送受信するための通信インターフェースである。
近距離無線通信部１２は、Ｂｌｕｅｔｏｏｔｈ（登録商標）、Ｗｉ−Ｆｉ（登録商標）等の近距離無線通信方式により無線通信を行う。近距離無線通信部１２は、端末３と近距離無線通信を行う。なお、近距離無線通信部１２は、上述した近距離無線通信方式に限らず、他の近距離無線通信方式によって無線通信を行ってもよい。
【００２６】
表示部１３は、例えば、液晶ディスプレイや有機ＥＬディスプレイ等により構成される。表示部１３は、制御部１５の制御に応じて広告コンテンツを表示する。
記憶部１４は、ＲＯＭ（Read Only Memory）及びＲＡＭ（Random Access Memory）等を含む記憶媒体である。記憶部１４は、制御部１５が実行するプログラムを記憶している。例えば、記憶部１４は、デジタルサイネージ１を、識別情報取得部１５１、識別情報送信部１５２、表示指示受付部１５３、及び表示制御部１５４として機能させる広告表示プログラムを記憶している。また、記憶部１４は、複数の広告コンテンツと、当該広告コンテンツの広告種別とを関連付けて記憶する。
【００２７】
制御部１５は、例えばＣＰＵ（Central Processing Unit）である。制御部１５は、記憶部１４に記憶された広告表示プログラムを実行することにより、識別情報取得部１５１、識別情報送信部１５２、表示指示受付部１５３、及び表示制御部１５４として機能する。
【００２８】
識別情報取得部１５１は、近距離無線通信部１２を介して、デジタルサイネージ１から所定範囲に存在する一以上のユーザＵのそれぞれが所持する端末３から、ユーザＩＤを取得する。例えば、ユーザＵが所持する端末３では、ユーザＩＤを送信するためのＩＤ送信用アプリケーションが実行されている。識別情報取得部１５１は、所定時間おきに、ユーザＩＤの送信を要求するためのビーコン信号を近距離無線通信部１２に発信させる。ユーザＵが所持する端末３は、ビーコン信号を受信したことに応じて、ユーザＩＤをデジタルサイネージ１に送信する。これにより、識別情報取得部１５１は、デジタルサイネージ１から所定範囲に存在するユーザＵが所持する端末３から、ユーザＩＤを取得することができる。
【００２９】
なお、端末３において実行されているＩＤ送信用アプリケーションは、当該アプリケーションのプライバシーポリシー画面やヘルプ画面を介して、ユーザＵから、ユーザＩＤの発信を許可するか否かの選択操作を受け付けてもよい。そして、端末３は、ユーザＩＤの発信を許可する操作を受け付けている場合に、ユーザＩＤを発信してもよい。
【００３０】
識別情報送信部１５２は、通信部１１を介して、識別情報取得部１５１が取得したユーザＩＤを広告制御装置２に送信する。
表示指示受付部１５３は、広告制御装置２から、広告種別を含み、当該広告種別に対応する広告コンテンツの表示部１３への表示を指示する広告表示指示を受け付ける。
表示制御部１５４は、表示指示受付部１５３が広告表示指示を受け付けると、広告コンテンツを表示部１３に表示させる。具体的には、表示制御部１５４は、記憶部１４を参照し、表示指示受付部１５３が受け付けた広告表示指示に含まれている広告種別に関連付けられている広告コンテンツを特定する。表示制御部１５４は、例えば、表示指示受付部１５３が新たに広告表示指示を受け付けるまで、特定した広告コンテンツを表示部１３に表示させる。
【００３１】
［広告制御装置２の構成］
続いて、広告制御装置２の構成を説明する。図３は、本実施形態に係る広告制御装置２の構成を示す図である。図３に示すように、広告制御装置２は、通信部２１と、記憶部２２と、制御部２３とを備える。
【００３２】
通信部２１は、デジタルサイネージ１と情報を送受信するための通信インターフェースである。
記憶部２２は、ＲＯＭ及びＲＡＭ等を含む記憶媒体である。記憶部２２は、制御部２３が実行するプログラムを記憶している。例えば、記憶部２２は、広告制御装置２を、識別情報取得部２３１、属性情報取得部２３２、広告種別決定部２３３、及び出力制御部２３４として機能させる広告制御プログラムを記憶している。
【００３３】
また、記憶部２２は、属性情報ＤＢ２２１を記憶する。属性情報ＤＢ２２１は、ユーザＩＤと、当該ユーザＩＤで識別されるユーザの属性とを関連付けて記憶する。図４は、属性情報ＤＢ２２１に記憶されている情報の一例を示す図である。図４に示すように、属性情報ＤＢ２２１は、ユーザＩＤと、属性情報としての趣味・趣向とが関連付けて記憶していることが確認できる。なお、属性情報には、性別、年齢、居住している地域を示す地域情報や、職種といった情報が含まれていてもよい。
【００３４】
属性情報ＤＢ２２１は、例えば、属性情報として格納される情報を、複数の属性が含まれる属性情報に上位概念化することにより、所定数のユーザを個別に識別できないＫ匿名化を行ったデータベースである。所定数は、デジタルサイネージ１の前に存在すると予測されるユーザの数に基づいて予め定められてもよく、例えば、当該ユーザの数の所定の割合に対応する数である。なお、所定数は、例えば、３未満の数であってもよい。Ｋ匿名化を行った属性情報ＤＢ２２１を参照することにより、広告制御装置２は、ごく少数のユーザの属性情報に対応する広告種別の広告コンテンツがデジタルサイネージ１に表示され、ごく少数のユーザの趣向等の属性情報が他のユーザに知られてしまうことを防止することができる。
【００３５】
記憶部２２は、広告種別ＤＢ２２２を記憶する。広告種別ＤＢ２２２は、属性情報と広告種別とを関連付けて記憶するデータベースである。図５は、広告種別ＤＢ２２２に記憶されている情報の一例を示す図である。図５に示すように、広告種別ＤＢ２２２は、属性情報と、広告種別とが関連付けて記憶していることが確認できる。ここで、広告種別ＤＢ２２２には、１つの属性情報と、１つの広告種別とを関連付けて記憶することとしたが、これに限らず、複数の属性情報を組み合わせたものと、１つの広告種別とを関連付けて記憶してもよい。
【００３６】
なお、属性情報ＤＢ２２１及び広告種別ＤＢ２２２は、広告制御装置２が記憶するものとしたが、これに限らない。属性情報ＤＢ２２１及び広告種別ＤＢ２２２は、広告制御装置２とは異なる外部装置が記憶してもよい。
【００３７】
制御部２３は、例えばＣＰＵである。制御部２３は、記憶部２２に記憶された広告制御プログラムを実行することにより、識別情報取得部２３１、属性情報取得部２３２、広告種別決定部２３３、及び出力制御部２３４として機能する。
【００３８】
識別情報取得部２３１は、所定期間内においてデジタルサイネージ１から所定範囲内に存在する一以上のユーザのそれぞれを識別するためのユーザＩＤを取得する。具体的には、識別情報取得部２３１は、計時を開始してから所定期間が経過するまでの間、デジタルサイネージ１が端末３から取得したユーザＩＤを、通信部２１を介してデジタルサイネージ１から受信する。これにより、識別情報取得部２３１は、デジタルサイネージ１から所定範囲内に存在する一以上のユーザのそれぞれを識別するためのユーザＩＤを取得する。
【００３９】
属性情報取得部２３２は、記憶部２２に記憶されている属性情報ＤＢ２２１を参照し、識別情報取得部２３１が所定期間内に取得した一以上のユーザＩＤのそれぞれに関連付けられた属性情報のうち、関連付けられているユーザＩＤが相対的に多い属性情報を取得する。
【００４０】
具体的には、属性情報取得部２３２は、デジタルサイネージ１に、複数の広告コンテンツを切り替えて表示するために、属性情報ＤＢ２２１を参照し、識別情報取得部２３１が取得した一以上のユーザＩＤのそれぞれに関連付けられた属性情報のうち、関連付けられているユーザＩＤが相対的に多い属性情報を複数取得する。
【００４１】
例えば、識別情報取得部２３１により取得されたユーザＩＤの個数が２０個であり、取得されたユーザＩＤに関連付けられている属性情報が、「酒」、「化粧品」、「スポーツ」、「旅行」であったとする。そして、属性情報「酒」に関連付けられているユーザＩＤの数が８、「化粧品」に関連付けられているユーザＩＤの数が３、「スポーツ」に関連付けられているユーザＩＤの数が２、「旅行」に関連付けられているユーザＩＤの数が７であったとする。この場合、属性情報取得部２３２は、関連付けられているユーザＩＤの数が相対的に多い属性情報として、３つの属性情報「酒」、「旅行」、「化粧品」を取得する。
【００４２】
ここで、属性情報取得部２３２は、識別情報取得部２３１が取得した一以上のユーザＩＤのそれぞれに関連付けられた属性情報のうち、関連付けられているユーザＩＤが所定数以下の属性情報を取得しないように制御してもよい。例えば、所定数が３である場合、属性情報取得部２３２は、属性情報「酒」、「旅行」を取得し、属性情報「化粧品」を取得しないように制御する。このようにすることで、広告制御装置２は、例えば、「化粧品」に対応する広告コンテンツがデジタルサイネージ１に表示された場合に、付近を歩行するユーザＵの容姿等により、「化粧品」を趣味・趣向としているユーザＵをターゲットとして広告コンテンツが表示されていることが特定されてしまうことを抑制することができる。
【００４３】
また、デジタルサイネージ１から所定範囲に存在しているユーザＵの数が非常に多く、混雑している場合には、どのユーザＵをターゲットとして広告コンテンツがデジタルサイネージ１に表示されているかを特定しづらい状況となる。そこで、属性情報取得部２３２は、識別情報取得部２３１が取得したユーザＩＤの数が第２閾値以上の場合には、関連付けられているユーザＩＤの数が所定数以下の属性情報であっても取得してもよい。
【００４４】
例えば、所定数が３、第２閾値が２０であったとする。そして、識別情報取得部２３１により取得されたユーザＩＤの個数が２５個であり、取得されたユーザＩＤに関連付けられている属性情報が、「酒」、「化粧品」、「スポーツ」、「旅行」、「アウトドア」であったとする。そして、属性情報「酒」、「化粧品」、「スポーツ」、「旅行」、「アウトドア」に関連付けられているユーザＩＤの数が、それぞれ、１２、２、２、６、３であったとする。この場合、属性情報取得部２３２は、関連付けられているユーザＩＤの数が相対的に多い属性情報として、２つの属性情報「酒」、「旅行」を取得するとともに、関連付けられているユーザＩＤの数が所定数以下の属性情報「アウトドア」も取得する。このようにすることで、広告制御装置２は、広告コンテンツに対応するユーザＵが特定してしまう可能性を軽減することができる。
【００４５】
なお、属性情報ＤＢ２２１に格納されている属性情報は、所定の条件に基づいて重み付けがされていてもよい。図６は、属性情報ＤＢ２２１に格納されている属性情報に、重み値が関連付けられている例を示す図である。例えば、属性情報ＤＢ２２１に格納されている属性情報は、広告コンテンツの閲覧回数、又は関連する広告コンテンツの広告料に基づいて重み付けがされる。そして、図６に示すように、属性情報に対して、重み付けの度合いを示す重み値が関連付けられる。
【００４６】
図６は、広告コンテンツの広告料に基づいて重み値が関連付けられた例を示している。例えば、属性情報「化粧品」に関連する広告コンテンツの広告料が他の属性情報に関連する広告コンテンツの広告料に比べて高い場合、図６に示されるように、属性情報「化粧品」に関連する重み値が、他の属性情報に関連する重み値に比べて相対的に高いことが確認できる。
【００４７】
属性情報取得部２３２は、属性情報ＤＢ２２１を参照し、関連付けられているユーザＩＤが相対的に多く、相対的に重みが大きい属性情報を取得する。例えば、属性情報取得部２３２は、関連付けられているユーザＩＤの数を属性情報のスコアとして算出する。そして、属性情報取得部２３２は、算出したスコアに、属性情報に関連付けられている重み値を乗算することにより、属性情報のスコアを補正する。属性情報取得部２３２は、補正後のスコアが高い順に複数の属性情報を取得する。このようにすることで、広告制御装置２は、所定の条件に基づいて属性情報の取得順位を変更することができる。
【００４８】
広告種別決定部２３３は、記憶部２２に記憶されている広告種別ＤＢ２２２を参照して、属性情報取得部２３２が取得した属性情報に関連付けられた広告種別を決定する。具体的には、広告種別決定部２３３は、広告種別ＤＢ２２２を参照し、属性情報取得部２３２が取得した複数の属性情報のそれぞれに関連付けられている広告種別を決定する。ここで、広告種別決定部２３３は、薬品に関する広告種別等の公共の場にふさわしくない所定の広告種別を決定しないように制御してもよい。
【００４９】
出力制御部２３４は、広告種別決定部２３３が決定した広告種別に対応する広告コンテンツをデジタルサイネージ１に出力させる。例えば、出力制御部２３４は、広告種別決定部２３３が決定した複数の広告種別を含み、当該広告種別に対応する広告コンテンツの表示を指示する広告表示指示をデジタルサイネージ１に送信する。デジタルサイネージ１の表示制御部１５４は、表示指示受付部１５３が当該広告表示指示を受け付けると、当該広告表示指示に含まれている広告種別に対応する広告コンテンツを表示部１３に表示させる。
【００５０】
ここで、出力制御部２３４は、属性情報取得部２３２が取得した複数の属性情報のうち、当該属性情報に関連付けられているユーザＩＤの数に基づいて、当該属性情報に対応する広告コンテンツのデジタルサイネージ１への表示時間を変化させてもよい。例えば、出力制御部２３４は、複数の広告種別と、当該広告種別に対応する広告コンテンツの表示時間とを含む広告表示指示をデジタルサイネージ１に送信することにより、広告コンテンツのデジタルサイネージ１への表示時間を変化させる。
【００５１】
この場合において、出力制御部２３４は、関連付けられているユーザＩＤの数が多い属性情報に対応する広告コンテンツほど表示時間が長くなるように、複数の広告コンテンツのそれぞれの表示時間を設定してもよい。このようにすることで、広告制御装置２は、デジタルサイネージ１の前に存在する多くのユーザＵが興味を示す可能性が高い広告コンテンツを相対的に長く表示させることができるので、広告効果を高めることができる。
【００５２】
また、出力制御部２３４は、属性情報取得部２３２が取得した複数の属性情報のうち、当該属性情報に関連付けられているユーザＩＤの数に基づいて、当該属性情報に対応する広告コンテンツのデジタルサイネージへの表示回数を変化させてもよい。例えば、出力制御部２３４は、複数の広告種別と、単位時間（例えば、５分）あたりにおける当該広告種別に対応する広告コンテンツの表示回数とを含む広告表示指示をデジタルサイネージ１に送信することにより、広告コンテンツのデジタルサイネージ１への表示回数を変化させる。
【００５３】
この場合において、出力制御部２３４は、関連付けられているユーザＩＤの数が多い属性情報に対応する広告コンテンツほど表示回数が多くなるように、複数の広告コンテンツのそれぞれの表示回数を設定してもよい。このようにすることで、広告制御装置２は、デジタルサイネージ１の前に存在する多くのユーザが興味を示す可能性が高い広告コンテンツを相対的に多く表示させることができるので、広告効果を高めることができる。
【００５４】
また、属性情報取得部２３２は、識別情報取得部２３１が取得したユーザＩＤの数が所定の閾値以下である場合、ユーザＩＤに関連付けられている属性情報を取得しなくてもよい。そして、出力制御部２３４は、属性情報取得部２３２が属性情報を取得しなかった場合には、予め定められている広告コンテンツをデジタルサイネージ１に出力させてもよい。予め定められている広告コンテンツは、例えば、デジタルサイネージ１の設置場所において閲覧される可能性が高い広告コンテンツや、広告料金が相対的に高い広告コンテンツである。このようにすることで、広告制御装置２は、デジタルサイネージ１から所定範囲内に存在するユーザＵの数が少ない場合に、当該ユーザＵに対応する広告コンテンツが表示され、当該ユーザＵの趣味・趣向が他のユーザに把握されてしまうことを抑制するとともに、効果が高い広告をデジタルサイネージ１に表示させることができる。
【００５５】
［広告制御装置２における処理の流れ］
続いて、広告制御装置２における処理の流れについて説明する。図７は、本実施形態に係る広告制御装置２における処理の流れを示すフローチャートである。なお、本フローチャートでは、属性情報取得部２３２が属性情報を取得できるものとして説明を行う。
【００５６】
まず、識別情報取得部２３１は、計時を開始する（Ｓ１）。
続いて、識別情報取得部２３１は、デジタルサイネージ１が端末３から取得したユーザＩＤをデジタルサイネージ１から受信することにより、デジタルサイネージ１から所定範囲内に存在するユーザを識別するユーザＩＤを取得する（Ｓ２）。
【００５７】
続いて、識別情報取得部２３１は、Ｓ１において計時を開始してから所定期間が経過したか否かを判定する（Ｓ３）。識別情報取得部２３１は、所定期間が経過したと判定すると、Ｓ４に処理を移し、所定期間が経過していないと判定すると、Ｓ２に係る処理を再実行する。
【００５８】
続いて、属性情報取得部２３２は、属性情報ＤＢ２２１を参照し、Ｓ２において取得された一以上のユーザＩＤに関連付けられている属性情報を特定する（Ｓ４）。
続いて、属性情報取得部２３２は、関連付けられているユーザＩＤの数が相対的に多い複数の属性情報を取得する（Ｓ５）。
【００５９】
続いて、広告種別決定部２３３は、広告種別ＤＢ２２２を参照し、Ｓ５において取得された属性情報に関連付けられている広告種別を決定する（Ｓ６）。
続いて、出力制御部２３４は、Ｓ６において決定された広告種別を含み、当該広告種別に対応する広告コンテンツの表示を指示する広告表示指示をデジタルサイネージ１に送信する（Ｓ７）。デジタルサイネージ１は、広告表示指示を受信すると、当該広告表示指示に含まれている広告種別に対応する広告コンテンツを表示する。広告制御装置２の制御部２３は、Ｓ７の制御が終了すると、Ｓ１に処理を移す。
【００６０】
［本実施形態における効果］
以上説明したように、本実施形態に係る広告制御装置２は、所定期間内においてデジタルサイネージ１から所定範囲内に存在する複数のユーザのそれぞれを識別するためのユーザＩＤを取得し、属性情報ＤＢ２２１を参照して、取得した複数のユーザＩＤのそれぞれに関連付けられた属性情報のうち、関連付けられているユーザＩＤが相対的に多い属性情報を取得する。広告制御装置２は、広告種別ＤＢ２２２を参照して、取得した属性情報に関連付けられた広告種別を決定し、当該広告種別に対応する広告コンテンツをデジタルサイネージ１に出力させる。
【００６１】
このようにすることで、広告制御装置２は、デジタルサイネージ１から所定範囲内に存在する複数のユーザのうち、相対的に多くのユーザが興味を示す可能性が高い広告コンテンツをデジタルサイネージ１に表示させることができる。したがって、広告制御装置２は、デジタルサイネージ１の広告の効果を高めることができる。
【００６２】
以上、本発明を実施形態を用いて説明したが、本発明の技術的範囲は上記実施形態に記載の範囲には限定されない。上記実施形態に、多様な変更又は改良を加えることが可能であることが当業者に明らかである。
【００６３】
例えば、上記実施形態では、広告制御装置２は、デジタルサイネージ１が取得したユーザＩＤを受信することにより、所定期間内においてデジタルサイネージ１から所定範囲内に存在する複数のユーザＵのそれぞれに対応するユーザＩＤを取得したが、これに限らない。広告制御装置２は、所定期間内においてデジタルサイネージ１から所定範囲内に存在する複数のユーザのそれぞれが所持する端末３から、対応するユーザＩＤを直接取得してもよい。
【００６４】
また、上記実施形態では、デジタルサイネージ１は、広告コンテンツを記憶しており、広告制御装置２から、広告種別を含む広告表示指示を受け付けたことに応じて広告種別に関連付けられている広告コンテンツを表示したが、これに限らない。広告制御装置２が、決定した広告種別に関連する広告コンテンツを記憶部２２又は外部装置から取得してもよい。そして、広告制御装置２が、取得した広告コンテンツをデジタルサイネージ１に送信して、デジタルサイネージ１に表示させるようにしてもよい。
【００６５】
また、特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００６６】
１・・・デジタルサイネージ、１１・・・通信部、１２・・・近距離無線通信部、１３・・・表示部、１４・・・記憶部、１５・・・制御部、１５１・・・識別情報取得部、１５２・・・識別情報送信部、１５３・・・表示指示受付部、１５４・・・表示制御部、２・・・広告制御装置、２１・・・通信部、２２・・・記憶部、２２１・・・属性情報ＤＢ、２２２・・・広告種別ＤＢ、２３・・・制御部、２３１・・・識別情報取得部、２３２・・・属性情報取得部、２３３・・・広告種別決定部、２３４・・・出力制御部、Ｓ・・・広告制御システム
【図１】
2020024611.tif 000003
【図２】
2020024611.tif 000004
【図３】
2020024611.tif 000005
【図４】
2020024611.tif 000006
【図５】
2020024611.tif 000007
【図６】
2020024611.tif 000008
【図７】
2020024611.tif 000009